(57)【要約】【課題】放送受信端末機において実時間で受信されて再生される放送を、視聴者が一層集中的かつ詳細に視聴できるように視聴環境を提供できる放送再生方法、及びこれを実行する放送受信端末機を提供する。【解決手段】本発明によれば、放送を受信する放送受信段階と、第１画面及び第２画面の少なくとも二つに画面を分けた状態で、前記第１画面では前記受信放送を実時間で再生し、前記第２画面では、保存した前記受信放送を、現時点から遡った特定の時点から実速とは異なる速度で再生する多重画面放送再生段階と、該多重画面放送再生を開始した後の特定の時点で前記第１画面と前記第２画面とを単一化し、該単一化画面で前記受信放送を再生する単一画面放送再生段階と、を含むことを特徴とする放送受信端末機における放送再生方法が提供される。【選択図】図２
2008113443.tif 000002
【特許請求の範囲】
【請求項１】
放送を受信する放送受信段階と、
第１画面及び第２画面の少なくとも二つに画面を分けた状態で、前記第１画面では前記受信放送を実時間で再生し、前記第２画面では、保存した前記受信放送を、現時点から遡った特定の時点から実速とは異なる速度で再生する多重画面放送再生段階と、
該多重画面放送再生を開始した後の特定の時点で前記第１画面と前記第２画面とを単一化し、該単一化画面で前記受信放送を再生する単一画面放送再生段階と、
を含むことを特徴とする放送受信端末機における放送再生方法。
【請求項２】
前記第１画面と前記第２画面とは、ＰＩＰ（ピクチャ−イン−ピクチャ）の関係にあることを特徴とする請求項１に記載の放送再生方法。
【請求項３】
前記第２画面における再生速度が使用者によって設定されることを特徴とする請求項１に記載の放送再生方法。
【請求項４】
前記多重画面放送再生段階は、
前記受信放送を保存する段階と、
前記第１画面において前記受信放送を実時間で再生する段階と、
前記第２画面において、前記保存した受信放送を、現時点から遡った特定の時点から実速より速い速度で再生する段階と、
を含むことを特徴とする請求項１に記載の放送再生方法。
【請求項５】
前記単一画面放送再生段階における前記特定の時点は、前記第２画面で再生している放送が前記第１画面で再生している放送に実質的に追い着いた時点であることを特徴とする請求項４に記載の放送再生方法。
【請求項６】
前記第１画面で再生している放送に前記第２画面で再生している放送が実質的に追い着く前記特定の時点は、使用者によって予め設定されることを特徴とする請求項５に記載の放送再生方法。
【請求項７】
前記特定の時点が使用者によって予め設定される場合、前記第２画面における再生速度を、当該予め設定された特点の時点に基づいて自動的に設定することを特徴とする請求項６に記載の放送再生方法。
【請求項８】
前記第２画面における再生のために保存されている放送分量及び今後保存可能な放送分量のうちの少なくとも一つを表示する放送保存情報表示段階をさらに含むことを特徴とする請求項１に記載の放送再生方法。
【請求項９】
放送を受信する放送受信部と、
前記受信放送を再生するためのディスプレイ部と、
前記受信放送を保存するためのメモリ部と、
前記ディスプレイ部の画面を第１画面及び第２画面の少なくとも二つに分けた状態で、前記第１画面では前記受信放送を実時間で再生し、前記第２画面では、前記保存した受信放送を現時点から遡った特定の時点から実速とは異なる速度で再生し、そして、該第１画面及び第２画面による多重再生を開始した後の特定の時点で、前記第１画面及び前記第２画面を単一化し、該単一化画面で前記受信放送を再生するように制御する制御部と、
を含んで構成されることを特徴とする放送受信端末機。
【請求項１０】
前記第１画面と前記第２画面とは、ＰＩＰ（ピクチャ−イン−ピクチャ）の関係にあることを特徴とする請求項９に記載の放送受信端末機。
【請求項１１】
前記制御部は、前記第２画面における再生速度を使用者の操作に応じて設定することを特徴とする請求項９に記載の放送受信端末機。
【請求項１２】
前記制御部は、
前記受信放送を前記メモリ部に保存し、
前記第１画面において前記受信放送を実時間で再生し、
前記第２画面において、前記メモリ部に保存した受信放送を、現時点から遡った特定の時点から実速より速い速度で再生するように制御を実行することを特徴とする請求項９に記載の放送受信端末機。
【請求項１３】
前記第１画面及び第２画面による多重再生を開始した後の特定の時点は、前記第２画面で再生している放送が前記第１画面で再生している放送に実質的に追い着いた時点であることを特徴とする請求項１２に記載の放送受信端末機。
【請求項１４】
前記制御部は、前記第１画面で再生している放送に前記第２画面で再生している放送が実質的に追い着く前記特定の時点を、予め使用者の操作に応じて設定することを特徴とする請求項１３に記載の放送受信端末機。
【請求項１５】
前記特定の時点を予め使用者の操作応じて設定する場合、前記制御部は、前記第２画面における再生速度を、当該予め設定した特点の時点に基づいて自動的に設定することを特徴とする請求項１４に記載の放送受信端末機。
【請求項１６】
前記制御部は、前記第２画面における再生のために保存されている放送分量及び今後保存可能な放送分量のうちの少なくとも一つを前記ディスプレイ部に表示するように制御を実行することを特徴とする請求項９に記載の放送受信端末機。
【発明の詳細な説明】
【技術分野】
【０００１】
本発明は、放送再生に関するもので、特に、視聴者が便利に視聴できるように放送を受信し、これを再生する方法、及びこれを実行する放送受信端末機に関するものである。
【背景技術】
【０００２】
最近、放送及び関連技術分野の目覚ましい発展に伴い、放送環境の急激な変化を迎えている。特に、韓国において、現在放送中である地上波ＤＴＶ、衛星ＤＴＶ、地上波ＤＭＢ、衛星ＤＭＢなどのデジタル放送を受信できる放送受信端末機は、現代社会の必需品として見なされるほど多く使用されている。
【０００３】
一方、放送視聴者の立場では、デジタル放送を通して高画質及び高音質の映像を追求するとともに、放送受信端末機上で一層便利に放送を視聴しようとする欲求が漸次増加している。
【発明の開示】
【発明が解決しようとする課題】
【０００４】
本発明は、上記のような背景に鑑みたもので、その目的は、放送受信端末機において実時間（リアルタイム）で受信されて再生される放送を、視聴者が一層集中的かつ詳細に視聴できるように視聴環境を提供できる放送再生方法、及びこれを実行する放送受信端末機を提供することにある。
【課題を解決するための手段】
【０００５】
上記の目的を達成するために、本発明は、放送を受信する放送受信段階と、第１画面及び第２画面の少なくとも二つに画面を分けた状態で、前記第１画面では前記受信放送を実時間で再生し、前記第２画面では、保存した前記受信放送を、現時点から遡った特定の時点から実速とは異なる速度で再生する多重画面放送再生段階と、該多重画面放送再生を開始した後の特定の時点で前記第１画面と前記第２画面とを単一化し、該単一化画面で前記受信放送を再生する単一画面放送再生段階と、を含むことを特徴とする放送受信端末機における放送再生方法を提供する。
【０００６】
また、上記の目的を達成するために、本発明は、放送を受信する放送受信部と、前記受信放送を再生するためのディスプレイ部と、前記受信放送を保存するためのメモリ部と、前記ディスプレイ部の画面を第１画面及び第２画面の少なくとも二つに分けた状態で、前記第１画面では前記受信放送を実時間で再生し、前記第２画面では、前記保存した受信放送を現時点から遡った特定の時点から実速とは異なる速度で再生し、そして、該第１画面及び第２画面による多重再生を開始した後の特定の時点で、前記第１画面及び前記第２画面を単一化し、該単一化画面で前記受信放送を再生するように制御する制御部と、を含んで構成されることを特徴とする放送受信端末機を提供する。
【発明の効果】
【０００７】
本発明によると、第一に、放送受信端末機の画面を少なくとも第１画面及び第２画面の二つの画面に分け、第１画面では受信される放送を実時間で視聴できると同時に、第２画面ではタイムシフトされた放送を視聴できるという長所がある。第二に、第２画面におけるタイムシフトされた放送の再生速度を自由に調節することで、放送を詳細にかつ迅速にレビューできるという長所がある。第三に、第１画面及び第２画面が、特定の時点（または特定のイベント）の発生時に、視聴者の特別な操作がなくとも自動的に画面全体に単一化されることで、普段と同様に、受信放送を実時間で視聴できるという長所がある。
【発明を実施するための最良の形態】
【０００８】
以下、上記の目的を具体的に実現できる本発明の好適な実施形態を、添付の図面を参照して説明する。
【０００９】
まず、本発明に係る放送受信端末機の構成に対し、図１を参照して説明する。図１は、本発明に係る放送受信端末機の構成を示す概略的なブロック図である。
【００１０】
本発明に係る放送受信端末機１は、放送を受信可能な端末機であれば、一般的なＴＶ（テレビジョン放送）などの放送受信専用端末機のみならず、携帯電話機、ＰＤＡ（Personal Digital Assistance）、コンピュータなどの多様な種類の端末機に該当する。したがって、以下で説明される放送受信端末機は、必ずしも特定の電子機器に限定されるものではない。
【００１１】
放送受信端末機１は、図１に示すように、放送受信部１０、ディスプレイ部２０、メモリ部３０、入力部４０、及び制御部５０を含んで構成される。もちろん、本発明に係る放送受信端末機には、当該構成要素以外のものが含まれることもある。しかし、これら構成要素以外のものは、本発明と直接的な関連性がないので、説明の簡明さのために、それに対する詳細な説明は省略する。
【００１２】
放送受信部１０は、各種の放送を受信する。該放送は、地上波ＤＴＶ、衛星ＤＴＶのみならず、米国のMediaFlo、韓国のＤＭＢ（Digital Multimedia Broadcasting）、ヨーロッパのＤＶＢ−Ｈなどの移動放送も全て含む概念である。
【００１３】
放送受信部１０で受信した放送は、ディスプレイ部２０によって、視聴者が視聴できるように再生される。ディスプレイ部２０は、後述するように、必要に応じて受信放送を少なくとも２画面を通して再生する。図１によると、ディスプレイ部２０は、放送受信部１０で受信した放送を制御部５０を通して受けて再生するように構成されている。しかし、これは例示に過ぎないもので、ディスプレイ部２０は、放送受信部１０から直接受信放送を受けて再生するように構成し得る。
【００１４】
メモリ部３０は、放送受信端末機１にて提供し得る多様な機能を実行するための各種のソフトウェア、及びこれによる各種のデータを保存する。特に、メモリ部３０は、放送受信部１０で受信した放送がディスプレイ部２０で再生された後にも、後述するように、受信放送を所定時間の間保存する役割をもつ。図１によると、メモリ部３０は、放送受信部１０で受信した放送を制御部５０を通して受けて保存するように構成されている。しかし、これは例示に過ぎないもので、メモリ部３０は、放送受信部１０から直接受信放送を受けて保存するように構成し得る。
【００１５】
入力部４０は、端末機使用者が放送受信端末機１に各種の命令または情報を入力できるようにする。
【００１６】
そして、制御部５０は、放送受信部１０、ディスプレイ部２０、メモリ部３０、及び入力部４０を制御し、後述する放送再生方法が当放送受信端末機１で実行されるようにする。特に、制御部５０は、放送受信部１０で受信した放送をメモリ部３０に保存し、当該放送が一定時間遅れて再生されるように制御することができる。すなわち、制御部５０は、メモリ部３０を利用して保存した放送を、現時点から遡った過去の特定の時点から再生するように制御することができる。表現の簡明さのために、「一定時間遅れて再生される」ことについて、「タイムシフト再生」という表現を使用する。
【００１７】
以上のように構成された放送受信端末機１で実行される本発明に係る放送再生方法について、一例を図２及び図３を参照して説明する。図２は、本発明に係る放送再生方法を示す概略的なフローチャートで、図３は、本発明に係る放送再生方法を実行する放送受信端末機のディスプレイ部の画面推移を示す図である。
【００１８】
まず、放送受信端末機は、図３の（３−１）〜（３−２）に示すように、放送を受信してディスプレイ部の画面を通して再生する（Ｓ２１０）。図３の（３−１）〜（３−２）に示したディスプレイ部の画面内には、受信放送の映像が実時間でディスプレイされていることが数字で表現される。
【００１９】
また、放送受信端末機は、受信放送をメモリ部３０に保存する（Ｓ２２０）。これは、後述するように、放送をタイムシフト再生するためである。受信した放送の保存は、本例に係る放送再生方法の実行が入力部を通して使用者によって要求されるときに、開始される。さらに、視聴者の別途の要求がない場合であっても、放送受信端末機は、オンになって放送受信を開始したときに自動で受信放送をメモリ部３０に保存する制御とすることもできる。受信放送の保存が長時間継続し、保存した放送の分量がメモリ部３０の最大容量を超える場合は、そのときの最も古い保存放送の内容から削除すると同時に、現在の受信放送を保存するよう制御することが好ましい。
【００２０】
一方、放送の再生中に、例えば、視聴者が入力部４０を通して画面分割命令を入力した場合、ディスプレイ部の画面は、二つ以上の画面に分けられる（Ｓ２３０）。以下では、説明の簡明さのために、ディスプレイ部の画面Ｐｔが、図３の（３−３）に示すように、二つの画面、すなわち、第１画面Ｐ１及び第２画面Ｐ２に分けられると仮定して説明する。第１画面Ｐ１及び第２画面Ｐ２は、多様な形態で分けられるが、第１画面Ｐ１が親画面になり且つ第２画面Ｐ２が子画面になるようなＰＩＰ（ピクチャ−イン−ピクチャ）関係で分けられることが好ましい。
【００２１】
その後、第１画面Ｐ１には、受信放送が継続的に実時間で再生される一方、第２画面Ｐ２には、メモリ部３０を通した所定時間のタイムシフト再生が実行される（Ｓ２４０，Ｓ２５０）。第２画面Ｐ２は、メモリ部３０に最も長い間保存されている放送から再生するように制御するか、または、画面分割命令が入力された時点の所定時間以前の放送から再生するように制御する。その所定時間は、放送視聴前に予め設定するか、または、視聴者が画面分割命令を入力するときに同時に入力するようにする。
【００２２】
第２画面Ｐ２におけるタイムシフト再生の放送は、実速（ここでは、放送の元の再生速度を意味する）と異なる速度で再生される。この実速と異なる再生速度は、使用者によって設定されることが好ましい。特に、タイムシフト再生は、実速よりも速い速度で再生するのが良い。
【００２３】
上記のように二つの画面に分けて放送を再生している途中で、特定の時点に到達した場合（または、特定のイベントが発生した場合）、二つの画面は一つの画面に統合され、受信放送を継続的に実時間で再生する（Ｓ２６０）。以下では、タイムシフト再生を実速の２倍速で行うと仮定し、どの時点（またはイベント）が特定の時点（または特定のイベント）に該当するかを、例を挙げて継続的に説明する。
【００２４】
図３の（３−４）〜（３−７）に示すように、第１画面Ｐ１では、受信放送が継続的に実時間で再生される。そして、第２画面Ｐ２では、該放送のタイムシフト再生が実速の２倍速で実行される。つまり、第２画面Ｐ２におけるタイムシフト再生の速度は、第１画面Ｐ１における受信放送の実時間再生速度よりも２倍速くなるので、一定の時間が経過すると、第２画面Ｐ２におけるタイムシフト再生が第１画面Ｐ１における受信放送の実時間再生に追い着くことになる。すなわち、一定の時間が経過すると、図３の（３−８）に示すように、第１画面Ｐ１で再生している放送と第２画面Ｐ２で再生している放送が一致する（または同期化する）。このように第１画面Ｐ１の放送と第２画面Ｐ２の放送とが同期化する瞬間（またはイベント）が、特定の時点（または特定のイベント）に該当する。
【００２５】
画面Ｐｔが第１画面Ｐ１と第２画面Ｐ２とに分けられた時点からこの同期化時点までの時間は、視聴者が予め設定するようにしておいてもよい。この場合、放送受信端末機１は、当該時間を考慮した上で、第２画面Ｐ２における再生速度を自動設定するよう制御を実行することが好ましい。
【００２６】
上記のように、特定の時点（または特定のイベント）に到達すると、第１画面Ｐ１と第２画面Ｐ２とは画面Ｐｔにおいて単一化される。これ以降、単一化された画面Ｐｔには、既に述べたように、受信放送が実時間で継続的に再生される（Ｓ２７０）。
【００２７】
以上の放送再生方法によると、視聴者が受信放送を視聴している途中で、直前の映像をもう一度迅速にレビューすると同時に受信放送を継続的に視聴したい場合（例えば、サッカー競技を見ている途中で、直前のゴールの瞬間をもう一度迅速にレビューすると同時に、現在進行中である競技を継続的に視聴したい場合）に、非常に有用となる。
【００２８】
以上では、第２画面Ｐ２において、タイムシフト再生が実速より速い一定の速度で実行される場合を説明した。しかし、本発明はこれに限定されるものでなく、例えば、入力部４０のジョグ／シャトル（図示せず）を通して、第２画面Ｐ２におけるタイムシフト再生の速度を視聴者が自由に調節できる制御とすることもできる。
【００２９】
また、以上では、第１画面Ｐ１と第２画面Ｐ２とが統合される特定の時点（または特定のイベント）が、第１画面Ｐ１と第２画面Ｐ２とにおける各再生放送が互いに同期化する時点（またはイベント）であるとして説明した。しかし、本発明はこれに限定されるものでなく、例えば、画面Ｐｔを第１画面Ｐ１及び第２画面Ｐ２に分割した時点から所定時間経過した時点を特定の時点として設定することもできる。また、メモリ部において今後保存可能な放送容量（すなわち、残余保存容量）及び／又は保存済み放送の分量時間について、ディスプレイ部に別途ディスプレイする制御を実行することもできる。
【００３０】
本発明の精神及び必須的な特徴を逸脱しない範囲において、ここに開示したもの以外の形態で本発明を具体化できることは、当業者にとって自明である。したがって、上記の詳細な説明は、全ての面で制限的に解析されてはならず、例示的なものとして考慮されるべきである。本発明の範囲は、添付請求項の合理的な解析によって決定されるべきで、本発明の等価的範囲内における全ての変更は、本発明の範囲に含まれる。
【図面の簡単な説明】
【００３１】
【図１】本発明に係る放送受信端末機の構成を示す概略的なブロック図である。
【図２】本発明に係る放送再生方法を示す概略的なフローチャートである。
【図３】本発明に係る放送再生方法を実行する放送受信端末機のディスプレイ部の画面推移を示す図である。
【符号の説明】
【００３２】
１  放送受信端末機
１０  放送受信部
２０  ディスプレイ部
３０  メモリ部
４０  入力部
５０  制御部
【図１】
2008113443.tif 000003
【図２】
2008113443.tif 000004
【図３】
2008113443.tif 000005